(57)【要約】【課題】  元竿の握り部に工夫を加えることによって、魚の当たりを待つ場合の圧迫感等を改善することのできる釣り竿を提供する。【解決手段】  プリプレグ製の元竿１の握り部１Ａに、外周面の全面に亘って球状の握り面２Ａを形成したウレタン発泡製の握り体２を外嵌装着してある。【選択図】        図１
2008067610.tif 000002
【特許請求の範囲】
【請求項１】
元竿の握り部に、球状の握り面を形成してある釣り竿。
【請求項２】
元竿の握り部に、球状の握り面を形成した握り体を外嵌装着してある釣り竿。
【発明の詳細な説明】
【技術分野】
【０００１】
本発明は、元竿に握り部を備えている釣り竿に関する。
【背景技術】
【０００２】
元竿においては、強化繊維にマトリックス樹脂を含浸させて形成したプリプレグシートをマンドレルに巻回して形成したものであり、握り部においても、プリプレグシートを巻回して構成するか金属製の筒状体を利用して構成していた（特許文献１参照）。
一方、鮎釣りにおいては、鮎の当りを待つ間、釣り人は、一方の手で元竿の握り部の竿先側を支えながら、他方の手で元竿の握り部の竿元側を押えて、鮎竿の姿勢を維持している（非特許文献）。
【０００３】
【特許文献１】特開２００４−２１５５０８号公報（段落番号〔００１３〕〔００２４〕、及び、図２）
【非特許文献１】２００４  Ｆｉｓｈｉｎｇ  Ｔａｃｋｌｅ  Ｃａｔａｌｏｇｕｅ  第１３３頁
【発明の開示】
【発明が解決しようとする課題】
【０００４】
上記したように、元竿の握り部は、プリプレグを巻回して形成したものや金属製の筒状体を嵌着したものや、その上に握り易さを獲得するために、ＥＶＡやウレタンゴム等を塗布して形成したものであるが、いずれにしても、筒状体の外形を呈している。一方、鮎釣り等においては、魚の当りを待つ間、元竿の握り部を握った状態でその状態を維持しなければならない。その際に、釣り竿の穂先竿の糸連結具に繋がれた囮鮎や仕掛けの重さが荷重となって穂先竿の先端に作用する。この先端荷重によって前倒れモーメントが釣り竿に作用するので、釣り人は反対方向のモーメントを発生させるように、両方の手で釣り竿を支持する。
したがって、釣り人は、円筒形の握り部を握り締めて、鮎の当りを待つので、長時間その状態が継続されると手の掌等が圧迫感を受けて痛みを感ずることもあり、持ち重り感を改善する必要があった。
【０００５】
本発明の目的は、元竿の握り部に工夫を加えることによって、魚の当たりを待つ場合の圧迫感等を改善することのできる釣り竿を提供する点にある。
【課題を解決するための手段】
【０００６】
〔構成〕
請求項１に係る発明の特徴構成は、元竿の握り部に、球状の握り面を形成してある点にあり、その作用効果は次の通りである。
【０００７】
〔作用〕
つまり、握り部に球状の握り面を形成しているので、この球状の握り面を握って当りを待つ場合に、握り面が球状であるので握る手の掌等を圧迫することが少なく、長時間釣り操作を継続しても手が痛みを感じたり、だるさを感ずることが抑制される。
【０００８】
〔効果〕
このように、握り部に球状の握り面を設ける簡単な改造を加えることによって、釣り操作に係る負担を軽減できる釣り竿を提供できるに至った。
【０００９】
請求項２に係る発明の特徴構成は、元竿の握り部に、球状の握り面を形成した握り体を外嵌装着してある点にあり、その作用効果は次の通りである。
【００１０】
〔作用効果〕
また、球状の握り面を形成した握り体を握り部に外嵌装着することとしたので、竿の握り部とは別体の握り体をその握り部に装着することになり、握り体を大きな径のものにできる。このことによって握り部の大径化を図ることができ、その大径化した握り体の握り面に両手を沿えて、両手で握り体を保持しながら釣り操作を行うことができる。この場合には、握り面が球状であるので、両手で支持する握り面の部分を順次変更することによって釣り竿の姿勢を３次元的に変更でき、釣り竿を支持する腕の位置や姿勢を変更することなく、釣り竿の姿勢を任意なものにできる。
したがって、持ち重りも解消されるとともに、竿の操作の多様化を図ることができる。
【発明を実施するための最良の形態】
【００１１】
〔第１実施形態〕
鮎竿Ａの元竿１の握り部１Ａについて説明する。図２（イ）に示すように、握り部１Ａを構成する竿素材１ａに対して直接、外周面の全面に亘って球状の握り面２Ａを形成した握り体２を外嵌して接着固定する。球状の握り体２は、ウレタン製の発泡体や樹脂で形成され、外径が５０ｍｍから３００ｍｍの大きさに形成される。握り部１Ａの外径は２６ｍｍから３０ｍｍである。
【００１２】
握り体２を装着した部分以外の握り部１Ａには、ＥＶＡやウレタンゴム、その他軟質樹脂等の柔軟性の高い材料を施して、通常の元竿１と同様の握り部１Ａを構成する。握り体２を握り部１Ａに取り付ける構成としては、通常の握り部１Ａを構成した後に、その握り部１Ａに外嵌してもよい。
【００１３】
上記したような握り体２を装着した鮎竿Ａを握って釣り操作する場合は、図１に示すように、例えば、左手で鮎竿Ａを支持しながら、右手を握り体２に載置するような態勢を採ることによって、鮎の当りを待つことができる。そして、囮鮎に移動を促す場合には、握り体２に手を当てて竿を任意の姿勢に変更できる。
【００１４】
図３に示すように、球状の握り体２を外径が４００ｍｍから５００ｍｍの大径のものに形成して元竿１に外嵌固定した場合には、通常の釣り方法と違った釣り操作を行うことができる。つまり、大径の握り体２を左右から両手で挟み込み、鮎竿Ａを保持する。この状態で、握り体２に当てつけた両手をずらして、当て付ける位置を変更すると、鮎竿Ａの姿勢を変更できる。両手を当て付けている部分が球状であるので、その形状に沿って手を移動させることによって、鮎竿Ａの姿勢を三次元的に変更でき、囮鮎の動きの制御を容易に行い得るとともに、握り体２を強く握り締める必要がないので、持ち重り感がなく、手の痛み感を抑えることができる。
【００１５】
〔第２実施形態〕
図２（ロ）に示すように、握り体２の球状表面を凹凸なく平滑面に形成するのではなく、浅く細幅の凹溝２ａを線状に縦横に刻設してもよい。これによって、握り体２の球状面に当てた手が滑り難く、鮎竿Ａを保持し易い。
凹溝２ａを縦横に設ける領域としては、握り体２の全面に設けても良く、或いは、一部に限ってもよい。
【００１６】
〔第３実施形態〕
ここでは、凹溝２ａよりやや幅広の凹溝２ｂを、図２（ハ）に示すように、竿の軸線方向に沿った状態や、図２（ニ）に示すように、竿の周方向に沿った状態に平行に刻設するものでもよい。この場合には、釣り用グローブ等に付着した水分が握り体２に付着しても、この凹溝２ｂを通して逃がすことができ、水分付着による手の滑り等を抑制できる。
【００１７】
〔第４実施形態〕
図２（ニ）に示すように、握り体２を全面が球状を呈するものにするものではなく、竿先側の部分を一部切除して平坦面２ｃを形成したものでもよい。
このように、竿先側に平坦面２ｃを形成することによって、釣上げた鮎を取り込むために、片手で握り部１Ａを握って鮎竿Ａを上下向きの縦姿勢にする場合に、握り部１Ａを握った手を平坦面２ｃに当て付けることによって、手の安定性を確保でき、釣上げ操作も容易になる。
【００１８】
〔第５実施形態〕
図３に示すように、握り体２の両側面に平坦面２ｄ、２ｄを形成し、握り体２を手で掴む場合に、この平坦面２ｄに指を掛けることができ、掴み易くなる。また、球状面が大きな部分を占めているので、手の掌を圧迫することは少なく、良好な握り感覚を与えることができる。
【００１９】
〔別実施形態〕
（１）  上記実施形態では、鮎竿Ａに本願発明を適用する形態について説明してきたが、穂先竿に釣り糸連結具を備える渓流竿やハエ用竿にも適用してもよい。
（２）  鮎竿Ａとしては、元上と元竿１とが収縮状態でもその状態を保持可能な伸縮式の竿に適用してもよい。
（３）  握り体２を取り付けるに、握り部１Ａの一箇所だけに設けたが、必要であれば、図１に示す、左手で支持する位置に他の握り体２を設けてもよい。
【図面の簡単な説明】
【００２０】
【図１】鮎の当りを待つ姿勢を示す斜視図
【図２】（イ）球状の握り体を元竿の握り部に取り付けた状態を示す側面図、（ロ）握り体に凹溝を縦横に形成した状態を示す側面図、（ハ）球状の握り体に竿の軸線方向に沿った凹溝を形成した状態を示す側面図、（ニ）球状の握り体に竿の周方向に沿った凹溝を形成した状態を示す側面図、
【図３】握り体の両側面に平坦部を形成したものを示す側面図
【符号の説明】
【００２１】
１            元竿
１Ａ          握り部
２            握り体
２Ａ          球状の握り面
【図１】
2008067610.tif 000003
【図２】
2008067610.tif 000004
【図３】
2008067610.tif 000005